(57)【要約】【課題】使用性及び美感を向上できる扉開閉機構を提供する。【解決手段】機器本体２の開口部３ａを覆う扉４を、機器本体２及び扉４の対向する両端部に対称に配された一対のカム機構１２によって二方向から択一的に開閉する両開きの扉開閉機構において、カム機構１２が、機器本体２及び扉４の一方に設けられて扉４の枢支軸を形成するヒンジピン２１と、機器本体２及び扉４の他方に設けられてヒンジピン２１を係合案内する溝カム３１とを有し、扉４を開いた際に溝カム３１を覆うとともに扉４を閉じた際に溝カム３１から退避する溝カムシャッター４１を設けた。【選択図】図３
2012026613.tif 000002
【特許請求の範囲】
【請求項１】
機器本体の開口部を覆う扉を、前記機器本体及び前記扉の対向する両端部に対称に配された一対のカム機構によって二方向から択一的に開閉する両開きの扉開閉機構において、前記カム機構が、前記機器本体及び前記扉の一方に設けられて前記扉の枢支軸を形成するヒンジピンと、前記機器本体及び前記扉の他方に設けられて前記ヒンジピンを係合案内する溝カムとを有し、前記扉を開いた際に前記溝カムを覆うとともに前記扉を閉じた際に前記溝カムから退避する溝カムシャッターを設けたことを特徴とする扉開閉機構。
【請求項２】
前記扉の閉成時に両側の前記カム機構が対称な第１係止位置をとるとともに、前記扉の一方を開く際に両方の前記カム機構によって前記扉が軸側から開放側へスライドして他方の前記カム機構が第２係止位置をとり、第２係止位置で前記扉をスライド規制して回動自在に支持することを特徴とする請求項１に記載の扉開閉機構。
【請求項３】
前記ヒンジピンと同心の円弧上に沿って形成される案内面を有するリブと、第２係止位置で前記案内面に摺動して前記ヒンジピンのスライドを規制するボスとを備え、前記溝カムシャッターが回動自在に支持されて前記溝カムを覆う方向に付勢されるとともに前記ヒンジピンまたは前記リブとの当接によって前記溝カムから退避することを特徴とする請求項２に記載の扉開閉機構。
【請求項４】
前記ヒンジピンを前記機器本体に設けるとともに、前記溝カム及び前記溝カムシャッターを前記扉の上面に設けたことを特徴とする請求項１〜請求項３のいずれかに記載の扉開閉機構。
【請求項５】
前記ヒンジピンを前記扉の下面に設けるとともに、前記溝カム及び前記溝カムシャッターを前記機器本体に設けたことを特徴とする請求項１〜請求項３のいずれかに記載の扉開閉機構。
【請求項６】
前記カム機構が、両方の前記ヒンジピン間に配されて両方の前記ヒンジピンと同心の円筒面が対向して形成される第１係合突起と、第１係合突起を摺動案内する第２係合突起と、第２係合突起の周囲に凹設して第１係合突起との干渉を回避する逃げ溝とを有し、前記扉を開いた際に前記逃げ溝を覆うとともに前記扉を閉じた際に前記逃げ溝から退避する逃げ溝シャッターを設けたことを特徴とする請求項１〜請求項５のいずれかに記載の扉開閉機構。
【請求項７】
前記逃げ溝シャッターが回動自在に支持されて前記逃げ溝を覆う方向に付勢されるとともに第１係合突起との当接によって前記逃げ溝から退避することを特徴とする請求項６に記載の扉開閉機構。
【請求項８】
請求項１〜請求項７のいずれかに記載の扉開閉機構を備えたことを特徴とする冷蔵庫。
【発明の詳細な説明】
【技術分野】
【０００１】
本発明は、扉を二方向から択一的に開閉する両開きの扉開閉機構及びそれを備えた冷蔵庫に関する。
【背景技術】
【０００２】
従来の扉開閉機構は特許文献１及び特許文献２に開示されている。この扉開閉機構は機器本体及び扉の対向する両端部に対称に配された一対のカム機構を備えている。カム機構は機器本体に扉の枢支軸を形成するヒンジピンが設けられ、扉にはヒンジピンを係合案内する溝カムが設けられる。
【０００３】
溝カムは連続する第１溝部及び第２溝部から成っている。第１溝部は一端を開放して枢支軸に垂直な面内で傾斜して形成される。第２溝部は第１溝部の他端に連続し、第１溝部の開放端から離れる方向に延びる。また、機器本体にはヒンジピンと同軸の円筒面から成る案内面を有するリブが設けられる。扉にはリブの案内面に摺動する円筒面を有したボスが設けられる。
【０００４】
扉を閉じた状態では両方のカム機構は第１溝部と第２溝部との連結部分にヒンジピンを配した第１係止位置をとる。扉の一方を開くと該一方のヒンジピンは第１溝部内を開放端に向けて相対移動する。この時、第１溝部が傾斜するとともに両ヒンジピン間の距離が一定のため、他方のヒンジピンは第１溝部から離れる方向に第２溝部内を相対移動する。
【０００５】
そして、一方のカム機構のヒンジピンが溝カムとの係合を解除され、他方のカム機構はヒンジピンが第２溝部の端部に配された第２係止位置をとる。この時、ボスがリブに内接してリブの案内面に摺動する。カム機構は第２係止位置でヒンジピンを回転自在に支持するとともにリブとボスとの摺接によってヒンジピンのスライドが規制され、ヒンジピンを枢支軸として扉を回動することができる。
【０００６】
尚、カム機構は左右対称に配されるため、同様の動作によって扉を他方から開くことができる。
【先行技術文献】
【特許文献】
【０００７】
【特許文献１】特開２００６−１３２８３８号公報（第５頁−第７頁、第１図）
【特許文献２】特開２００１−１５９２６８号公報（第５頁−第７頁、第１図）
【発明の概要】
【発明が解決しようとする課題】
【０００８】
上記従来の扉開閉機構によると、一方のカム機構のヒンジピン及び溝カムは扉の一方を開く場合に係合が解除され、扉の他方を開く場合に係合状態が維持される。このため、溝カムはヒンジピンが係脱可能なように扉の表面に露出して形成される。ヒンジピンを扉に設けて溝カムを機器本体に設けた場合も同様に、溝カムは機器本体の表面に露出して形成される。
【０００９】
しかしながら、扉を開いた際に露出した溝カムに異物が挟まると、扉を閉じることができなくなる。このため、扉開閉機構を設けた冷蔵庫等の機器の使用性が悪い問題があった。また、溝カムが露出して視認できるため、冷蔵庫の美観が損なわれる問題もあった。
【００１０】
本発明は、使用性及び美感を向上できる扉開閉機構及び冷蔵庫を提供することを目的とする。
【課題を解決するための手段】
【００１１】
上記目的を達成するために本発明は、機器本体の開口部を覆う扉を、前記機器本体及び前記扉の対向する両端部に対称に配された一対のカム機構によって二方向から択一的に開閉する両開きの扉開閉機構において、前記カム機構が、前記機器本体及び前記扉の一方に設けられて前記扉の枢支軸を形成するヒンジピンと、前記機器本体及び前記扉の他方に設けられて前記ヒンジピンを係合案内する溝カムとを有し、前記扉を開いた際に前記溝カムを覆うとともに前記扉を閉じた際に前記溝カムから退避する溝カムシャッターを設けたことを特徴としている。
【００１２】
この構成によると、扉の両端部に設けた一対のカム機構のヒンジピンと溝カムとの係脱によって扉が二方向から択一的に開閉される。扉が閉じられると溝カムシャッターが溝カムから退避し、両方のカム機構のヒンジピンと溝カムとが係合して扉を閉じた状態が保持される。扉を一方から開くと該一方のヒンジピンが溝カムから離脱する。この時、溝カムシャッターによって溝カムが覆われる。
【００１３】
また本発明は、上記構成の扉開閉機構において、前記扉の閉成時に両側の前記カム機構が対称な第１係止位置をとるとともに、前記扉の一方を開く際に両方の前記カム機構によって前記扉が開放側から軸側へスライドして他方の前記カム機構が第２係止位置をとり、第２係止位置で前記扉をスライド規制して回動自在に支持することを特徴としている。
【００１４】
この構成によると、扉を閉じた状態で両方のカム機構は溝カムの所定位置にヒンジピンが配される第１係止位置をとる。これにより、扉の脱落を防止して扉を閉じた状態が保持される。扉の一方を開くと該一方のカム機構はヒンジピンが溝カム内を相対移動して係合解除され、他方のカム機構はヒンジピンが溝カム内を相対移動して第２係止位置をとる。カム機構は第２係止位置でヒンジピンを回転自在に支持するとともにヒンジピンのスライドが規制され、ヒンジピンを枢支軸として扉を回動することができる。
【００１５】
また本発明は、上記構成の扉開閉機構において、前記ヒンジピンと同心の円弧上に沿って形成される案内面を有するリブと、第２係止位置で前記案内面に摺動して前記ヒンジピンのスライドを規制するボスとを備え、前記溝カムシャッターが回動自在に支持されて前記溝カムを覆う方向に付勢されるとともに前記ヒンジピンまたは前記リブとの当接によって前記溝カムから退避することを特徴としている。
【００１６】
この構成によると、扉を一方から開いた状態で該一方のカム機構はヒンジピンと溝カムの係合が解除され、溝カムシャッターは付勢されて溝カムを覆う。この時、他方のカム機構は第２係止位置をとり、リブとボスとの当接によってヒンジピンのスライドが規制される。扉を閉じていくと該一方の溝カムシャッターがヒンジピンまたはリブに当接し、付勢力に抗して回動する。これにより、溝カムが露出してヒンジピンと溝カムとが係合し、カム機構が第１係止位置に配される。
【００１７】
また本発明は、上記構成の扉開閉機構において、前記ヒンジピンを前記機器本体に設けるとともに、前記溝カム及び前記溝カムシャッターを前記扉の上面に設けたことを特徴としている。
【００１８】
また本発明は、上記構成の扉開閉機構において、前記ヒンジピンを前記扉の下面に設けるとともに、前記溝カム及び前記溝カムシャッターを前記機器本体に設けたことを特徴としている。
【００１９】
また本発明は、上記構成の扉開閉機構において、前記カム機構が、両方の前記ヒンジピン間に配されて両方の前記ヒンジピンと同心の円筒面が対向して形成される第１係合突起と、第１係合突起を摺動案内する第２係合突起と、第２係合突起の周囲に凹設して第１係合突起との干渉を回避する逃げ溝とを有し、前記扉を開いた際に前記逃げ溝を覆うとともに前記扉を閉じた際に前記逃げ溝から退避する逃げ溝シャッターを設けたことを特徴としている。
【００２０】
この構成によると、扉を閉じた状態で逃げ溝シャッターが逃げ溝から退避し、第１係合突起が逃げ溝内に配される。扉の一方を開き始めるとヒンジピンが溝カム内を相対移動するとともに、第１係合突起が第２係合突起と摺動して逃げ溝内を相対移動する。扉が開かれるとヒンジピンを溝カムとの係合が解除され、第１係合突起が逃げ溝から退避する。この時、逃げ溝が逃げ溝シャッターにより覆われる。
【００２１】
また本発明は、上記構成の扉開閉機構において、前記逃げ溝シャッターが回動自在に支持されて前記逃げ溝を覆う方向に付勢されるとともに第１係合突起との当接によって前記逃げ溝から退避することを特徴としている。この構成によると、扉を閉じていくと逃げ溝シャッターが第１係合突起に当接し、付勢力に抗して回動する。これにより、逃げ溝が露出して第１係合突起と第２係合突起とが摺動する。
【００２２】
また本発明の冷蔵庫は、上記各構成の扉開閉機構を備えたことを特徴としている。
【発明の効果】
【００２３】
本発明によると、ヒンジピンと溝カムとが係合する一対のカム機構によって二方向から択一的に扉を開閉し、扉を開いた際に溝カムを覆うとともに扉を閉じた際に溝カムから退避する溝カムシャッターを設けたので、扉を開いた際に溝カムへの異物の侵入を防止することができる。従って、扉を閉じることができない不具合を回避することができ、扉開閉機構を備えた機器の使用性を向上することができる。また、扉を開いた際に溝カムが視認されないため、扉開閉機構を備えた機器の美感を向上することができる。
【図面の簡単な説明】
【００２４】
【図１】本発明の実施形態の冷蔵庫を示す正面図
【図２】本発明の実施形態の冷蔵庫を示す斜視図
【図３】本発明の実施形態の冷蔵庫の冷蔵室扉の上方のカム機構を示す上面図
【図４】図３のＡ−Ａ断面図
【図５】本発明の実施形態の冷蔵庫の冷蔵室扉を右側から開いた状態を説明する上面図
【図６】本発明の実施形態の冷蔵庫の冷蔵室扉を右側から開いた状態を説明する上面図
【図７】本発明の実施形態の冷蔵庫の冷蔵室扉を右側から開いた状態を説明する上面図
【発明を実施するための形態】
【００２５】
以下に本発明の実施形態を図面を参照して説明する。図１は一実施形態の扉開閉機構を備えた冷蔵庫を示す正面図である。冷蔵庫１は断熱箱体から成る本体部２（機器本体）の上部に冷蔵室３が形成され、下部に冷凍室５が形成される。冷蔵室３の前面の開口部３ａ（図２参照）は冷蔵室扉４により開閉される。冷凍室５の前面の開口部は冷凍室扉６により開閉される。冷蔵室扉４は左右端にハンドル４ａ、４ｂを有し、左右の二方向から択一的に開閉することができる。冷凍室扉６は左右端にハンドル６ａ、６ｂを有し、左右の二方向から択一的に開閉することができる。
【００２６】
図２は冷蔵庫１の冷蔵室扉４を開いた状態を示す斜視図である。冷蔵室３の開口部３ａの上方及び下方には左右方向に延びる支持部材１０、１１が配される。支持部材１０の左右の両端部及び冷蔵室扉４の上面の左右の両端部には冷蔵室扉４の中心線に対して左右対称に配される一対のカム機構１２が設けられる。支持部材１１の左右の両端部及び冷蔵室扉４の下面の左右の両端部には同様の一対のカム機構１２が設けられる。
【００２７】
冷蔵室扉４の上下にそれぞれ設けられる左右一対のカム機構１２によって冷蔵室扉４と本体部２とを係脱し、冷蔵室扉４を開閉する両開きの扉開閉機構が構成される。また、冷凍室扉６を開閉する扉開閉機構も同様のカム機構１２により構成される。
【００２８】
図３は冷蔵室扉４の上方のカム機構１２を示す上面図であり、冷蔵室扉４が閉じられた状態を示している。また、図４は図３のＡ−Ａ断面図を示している。左右の両端部に配されるカム機構１２は支持部材１０に設けられるヒンジピン２１、リブ２４、第１係合突起２５（それぞれ図中、ハッチングで示す）と、冷蔵室扉４に設けられる溝カム３１、ボス３４、第２係合突起３５とを備えている。
【００２９】
ヒンジピン２１は支持部材１０にインサート成形された金属から成り、冷蔵室扉４の枢支軸を形成する。リブ２４は樹脂成形によってアーチ状に形成され、ヒンジピン２１の周囲に配される。リブ２４の内面にはヒンジピン２１と同心の円筒面から成る案内面２４ａが形成される。尚、リブ２４の案内面２４ａを多数のピンや突起部によって形成し、包絡面がヒンジピン２１と同心の円弧になるように形成してもよい。即ち、案内面２４ａがヒンジピン２１と同心の円弧上に沿って形成されていればよい。
【００３０】
第１係合突起２５は左右のヒンジピン２１の間に配置される。第１係合突起２５には近い方のヒンジピン２１と同心の円筒面２５ａと遠い方のヒンジピン２１と同心の円筒面２５ｂとが対向して設けられる。
【００３１】
溝カム３１、ボス３４及び第２係合突起３５は一体に樹脂成形されたカム部材３０により形成され、冷蔵室扉４の上面カバー４ｃ上にカム部材３０が取り付けられる。溝カム３１はヒンジピン２１が係合し、連続する第１溝部３２と第２溝部３３とを有している。第１溝部３２は本体部２側を開放し、枢支軸に垂直な面内で開放端が内側に向くように傾斜して形成される。第２溝部３３は第１溝部３２の開放端と反対の端部に連続し、第１溝部３２から外側に向かって屈曲して第１溝部３２の開放端から離れる方向に延びる。
【００３２】
ボス３４は第２溝部３３が凹設され、リブ２４の案内面２４ａに摺動する円筒面３４ａを有している。また、ボス３４の周面には後述する第１係止位置でリブ２４との干渉を回避する逃げ部３４ｂ（図５参照）が設けられる。尚、リブ２４の案内面２４ａが円筒面から成る場合には、ボス３４の周面を多数のピンや突起部により形成してもよい。即ち、ボス３４の周面を形成する多数のピンや突起部の包絡面が円筒面となるように形成してもよい。
【００３３】
第２係合突起３５は第１係合突起２５の円筒面２５ａ、２５ｂとそれぞれ摺動する摺動面３５ａ、３５ｂを有している。カム部材３０には第１係合突起２５との干渉を回避する逃げ溝３６が第２係合突起３５の周囲に凹設される。
【００３４】
また、上面カバー４ｃにはカム部材３０の上方に配されるシャッター支持部４０が取り付けられる。シャッター支持部４０は溝カム３１及びボス３４が露出する開口部４０ａと、第２係合突起３５及び逃げ溝３６が露出する開口部４０ｂとが開口する。開口部４０ａを介してヒンジピン２１及びリブ２４がそれぞれ溝カム３１及びボス３４と係合する。開口部４０ｂを介して第１係合突起２５が第２係合突起３５と係合する。
【００３５】
シャッター支持部４０には開口部４０ａ、４０ｂをそれぞれ開閉する溝カムシャッター４１及び逃げ溝シャッター４３が取り付けられる。溝カムシャッター４１は軸部４１ａでシャッター支持部４０に軸支され、軸部４１ａに配された捻りバネ４２によって開口部４０ａを閉じる方向に付勢される。溝カムシャッター４１は開口部４０ａを閉じて溝カム３１を覆う位置と、開口部４０ａを開いて溝カム３１から退避する位置との間を回動する。
【００３６】
逃げ溝シャッター４３は軸部４３ａでシャッター支持部４０に軸支され、軸部４３ａに配された捻りバネ４４によって開口部４０ｂを閉じる方向に付勢される。逃げ溝シャッター４３は開口部４０ｂを閉じて逃げ溝３６を覆う位置と、開口部４０ｂを開いて逃げ溝３６から退避する位置との間を回動する。また、シャッター支持部４０には溝カムシャッター４１及び逃げ溝シャッター４３を閉じた際に係止するストッパー４７、４８が下方に突出して形成される。
【００３７】
次に、冷蔵室扉４の開閉時の動作を説明する。冷凍室扉６についても同様に動作する。冷蔵室扉４を閉じた状態では両側のカム機構１２は図３に示す第１係止位置に配置される。即ち、左右のヒンジピン２１が第１溝部３２と第２溝部３３との連結部に配置される。また、ボス３４の逃げ部３４ｂ（図５参照）がリブ２４の案内面２４ａに沿って配置される。
【００３８】
第１溝部３２は枢支軸に垂直な面内で前後方向に対して傾斜しているため、左右の第１溝部３２の開放端からヒンジピン２１が離脱することがない。従って、冷蔵室扉４１の脱落を防止することができる。
【００３９】
この時、溝カムシャッター４１はリブ２４に当接し、捻りバネ４２の付勢力に抗してシャッター支持部４０の開口部４０ａを開く。これにより、ヒンジピン２１が溝カム３１に係合する。同様に、逃げ溝シャッター４３は第１係合突起２５に当接し、捻りバネ４４の付勢力に抗してシャッター支持部４０の開口部４０ｂを開く。これにより、第１係合突起２５が逃げ溝３６内に配される。
【００４０】
冷蔵室扉４を右側から開くと、右側のヒンジピン２１は第１溝部３２の係合案内によって第１溝部３２の開放端に向かって相対移動する。第１溝部３２は開放端が冷蔵室扉４の内側に向かって傾斜しており、第２溝部３３は第１溝部３２との連結部から外側に向かって延びている。
【００４１】
両方のヒンジピン２１の間隔は一定のため、右側のヒンジピン２１が開放端に向かって内側に相対移動すると、左側のヒンジピン２１は第１溝部３２から離れる方向に第２溝部３３内を外側に相対移動する。これにより、冷蔵室扉４は回動しながら左側の軸側から右側の開放側にスライド移動する。
【００４２】
そして、図５に示すように、左側のヒンジピン２１が第２溝部３３の閉じられた端部に到達し、カム機構１２が第２係止位置に配置される。この時、左側のボス３４の円筒面３４ａがリブ２４の案内面２４ａと摺動を開始する。これにより、ヒンジピン２１と第２溝部３３との係合により略前後方向への冷蔵室扉４の移動が規制され、ボス３４とリブ２４との係合により略左右方向への冷蔵室扉４の移動が規制される。従って、カム機構１２は第２係止位置で冷蔵室扉４をスライド規制して回動自在に支持する。
【００４３】
また、右側の第１係止部材２５の円筒面２５ｂと第２係止部材３５の摺動面３５ｂとが摺動し、左側の第１係止部材２５の円筒面２５ａと第２係止部材３５の摺動面３５ａとが摺動する。これにより、冷蔵室扉４をより安定して回動させることができる。
【００４４】
更に冷蔵室扉４が開かれると、図６に示すように、右側のヒンジピン２１と溝カム３１との係合が解除される。また、右側の第１係止部材２５と第２係止部材３５との係合が解除される。これにより、右側のカム機構１２の係合が解除される。冷蔵室扉４は左側のヒンジピン２１を中心としてスライド規制されて回動する。
【００４５】
この時、右側の溝カムシャッター４１及び逃げ溝シャッター４３はそれぞれ捻りバネ４２、４４の付勢力によって開口部４０ａ、４０ｂを閉じ、ストッパー４７、４８により係止される。これにより、右側の溝カムシャッター４１により溝カム３１及びボス３４が覆われ、逃げ溝シャッター４３により第２係合突起３５及び逃げ溝３６が覆われる。
【００４６】
更に冷蔵室扉４が開かれると、図７に示すように、左側の第１係合突起２５と第２係合突起３５との係合が解除される。そして、第２溝部３３とヒンジピン２１との係合及びボス３４とリブ２４との係合によって冷蔵室扉４が回動する。この時、左側の逃げ溝シャッター４３は捻りバネ４４の付勢力によって開口部４０ｂを閉じ、ストッパー４８により係止される。これにより、左側の逃げ溝シャッター４３により第２係合突起３５及び逃げ溝３６が覆われる。
【００４７】
冷蔵室扉４を閉じる場合には左右のカム機構１２は上記と逆の動作が行われる。この時、溝カムシャッター４１はヒンジピン２１との当接により開き始めてリブ２４との当接により更に開かれ、溝カム３１から退避する。逃げ溝シャッター４３は第１係合突起２５に当接して開かれ、逃げ溝３６から退避する。
【００４８】
また、冷蔵室扉４を左側から開閉すると、左右のカム機構１２は上記と左右対称に推移する。
【００４９】
本実施形態によると、ヒンジピン２１と溝カム３１とが係合する一対のカム機構１２によって二方向から択一的に扉（冷蔵室扉４や冷凍室扉６）を開閉し、扉を開いた際に溝カム３１を覆うとともに扉を閉じた際に溝カム３１から退避する溝カムシャッター４１を設けたので、扉を開いた際に溝カム３１への異物の侵入を防止することができる。従って、扉を閉じることができない不具合を回避することができ、扉開閉機構を備えた冷蔵庫１の使用性を向上することができる。また、扉を開いた際に溝カム３１が視認されないため、冷蔵庫１の美感を向上することができる。
【００５０】
特に、冷蔵室扉４や冷凍室扉６の上面に溝カム３１が設けられた場合には溝カム３１に異物が侵入しやすくなるとともに視認されやすくなる。従って、ヒンジピン２１を本体部２（機器本体）に設けて溝カム３１及び溝カムシャッター４１を扉の上面に設けた場合に冷蔵庫１の使用性及び美感をより向上することができる。
【００５１】
また、扉の閉成時に両側のカム機構１２が対称な第１係止位置をとるとともに、扉の一方を開く際に両方のカム機構１２によって扉が軸側から開放側へスライドして他方のカム機構１２が第２係止位置をとり、第２係止位置で扉をスライド規制して回動自在に支持する。従って、二方向から択一的に扉を開閉する扉開閉機構を容易に実現することができる。
【００５２】
また、ヒンジピン２１と同心の円弧上に沿う案内面２４ａを有するリブ２４と、第２係止位置で案内面２４ａに摺動してヒンジピン２１のスライドを規制するボス３４とを備え、溝カムシャッター４１が回動自在に支持されて溝カム３１を覆う方向に付勢されるとともにヒンジピン２１またはリブ２４との当接によって溝カム３１から退避する。これにより、溝カム３１を覆うとともに溝カム３１から退避する溝カムシャッター４１を容易に実現することができる。
【００５３】
また、両方のヒンジピン２１と同心の円筒面２５ａ、２５ｂを有する第１係合突起２５と、第１係合突起２５を摺動案内する第２係合突起３５と、第２係合突起３５の周囲に凹設して第１係合突起２５との干渉を回避する逃げ溝３６とを有し、扉を開いた際に逃げ溝３６を覆うとともに扉を閉じた際に逃げ溝３６から退避する逃げ溝シャッター４３を設けている。
【００５４】
これにより、扉を開いた際に逃げ溝３６への異物の侵入を防止することができる。従って、扉を閉じることができない不具合をより確実に回避することができるとともに、冷蔵庫１の美感をより向上することができる。
【００５５】
特に、冷蔵室扉４や冷凍室扉６の上面に逃げ溝３６が設けられた場合には逃げ溝３６に異物が侵入しやすくなるとともに視認されやすくなる。従って、逃げ溝３６を扉の上面に設けた場合に冷蔵庫１の使用性及び美感をより向上することができる。尚、逃げ溝３６を第１係合突起２５に対して十分広い範囲に形成し、異物が逃げ溝３６に侵入しても扉を閉じることができるようにしてもよい。
【００５６】
また、逃げ溝シャッター４３が回動自在に支持されて逃げ溝３６を覆う方向に付勢されるとともに第１係合突起２５との当接によって逃げ溝３６から退避する。これにより、逃げ溝３６を覆うとともに逃げ溝３６から退避する逃げ溝シャッター４３を容易に実現することができる。
【００５７】
本実施形態において、カム機構１２はヒンジピン２１及びリブ２４を本体部２に設けて溝カム３１及びボス３４を扉に設けているが、ヒンジピン２１及びリブ２４を扉に設けて溝カム３１及びボス３４を本体部２に設けてもよい。この時、扉の下面にヒンジピン２１が設けられた場合には上方に面する溝カム３１に異物が侵入しやすくなるとともに視認されやすくなる。従って、ヒンジピン２１を扉の下面に設けて溝カム３１及び溝カムシャッター４１を本体部２（機器本体）に設けた場合に冷蔵庫１の使用性及び美感をより向上することができる。
【００５８】
また、カム機構１２は扉に設けた第２係合突起３５の周囲に逃げ溝３６を凹設しているが、本体部２の第１係合突起２５の周囲に第２係合突起３５との干渉を回避する逃げ溝３６を凹設してもよい。この時、本体部２に設けた逃げ溝３６が上方に面して配される場合に、冷蔵庫１の使用性及び美感をより向上することができる。
【００５９】
また、一対のカム機構１２を有する扉開閉機構を備えた冷蔵庫１について説明しているが、同様の扉開閉機構を他の機器に設けてもよい。この時、一対のカム機構１２を扉の上下または前後に設けて上下または前後から扉を開くようにしてもよい。
【産業上の利用可能性】
【００６０】
本発明によると、扉を二方向から択一的に開閉する両開きの扉開閉機構を備えた冷蔵庫等の機器に利用することができる。
【符号の説明】
【００６１】
１    冷蔵庫
２    本体部
３    冷蔵室
４    冷蔵室扉
４ｃ  上面カバー
５    冷凍室
６    冷凍室扉
１０、１１  支持部材
１２    カム機構
２１    ヒンジピン
２４    リブ
２４ａ  案内面
２５    第１係合突起
３０    カム部材
３１    溝カム
３２    第１溝部
３３    第２溝部
３４    ボス
３４ａ  円筒面
３４ｂ  逃げ部
３５    第２係合突起
３６    逃げ溝
４０    シャッター支持部
４１    溝カムシャッター
４２、４４  捻りバネ
４３    逃げ溝シャッター
４７、４８  ストッパ
【図１】
2012026613.tif 000003
【図２】
2012026613.tif 000004
【図３】
2012026613.tif 000005
【図４】
2012026613.tif 000006
【図５】
2012026613.tif 000007
【図６】
2012026613.tif 000008
【図７】
2012026613.tif 000009
【手続補正書】
【提出日】平成23年10月26日(2011.10.26)
【手続補正１】
【補正対象書類名】特許請求の範囲
【補正対象項目名】全文
【補正方法】変更
【補正の内容】
【特許請求の範囲】
【請求項１】
機器本体の開口部を覆う扉を、前記機器本体及び前記扉の対向する両端部に対称に配された一対のカム機構によって二方向から択一的に開閉する両開きの扉開閉機構において、
前記扉の閉成時に両側の前記カム機構が対称な第１係止位置をとるとともに、前記扉の一方を開く際に両方の前記カム機構によって前記扉が軸側から開放側へスライドして他方の前記カム機構が第２係止位置をとり、第２係止位置で前記扉をスライド規制して回動自在に支持し、
前記カム機構が、前記機器本体及び前記扉の一方に設けられて前記扉の枢支軸を形成するヒンジピンと、前記機器本体及び前記扉の他方に設けられて前記ヒンジピンを係合案内する溝カムと、前記ヒンジピンと同心の円弧上に沿って形成される案内面を有するリブと、第２係止位置で前記案内面に摺動して前記ヒンジピンのスライドを規制するボスとを有し、
前記扉を開いた際に前記溝カムを覆うとともに前記扉を閉じた際に前記溝カムから退避する溝カムシャッターを設け、
前記溝カムシャッターは回動自在に支持されて前記溝カムを覆う方向に付勢されるとともに前記ヒンジピンに当接した後に前記ヒンジピンから離れて前記リブに当接することによって前記溝カムから退避することを特徴とする扉開閉機構。
【請求項２】
前記溝カムシャッターは軸部で軸支され、前記リブは前記軸部の近傍で前記溝カムシャッターに当接し始めることを特徴とする請求項１に記載の扉開閉機構。
【請求項３】
前記ヒンジピンを前記機器本体に設けるとともに、前記溝カム及び前記溝カムシャッターを前記扉の上面に設けたことを特徴とする請求項１または請求項２に記載の扉開閉機構。
【請求項４】
前記ヒンジピンを前記扉の下面に設けるとともに、前記溝カム及び前記溝カムシャッターを前記機器本体に設けたことを特徴とする請求項１または請求項２に記載の扉開閉機構。
【請求項５】
前記カム機構が、両方の前記ヒンジピン間に配されて両方の前記ヒンジピンと同心の円筒面が対向して形成される第１係合突起と、第１係合突起を摺動案内する第２係合突起と、第２係合突起の周囲に凹設して第１係合突起との干渉を回避する逃げ溝とを有し、前記扉を開いた際に前記逃げ溝を覆うとともに前記扉を閉じた際に前記逃げ溝から退避する逃げ溝シャッターを設けたことを特徴とする請求項１〜請求項４のいずれかに記載の扉開閉機構。
【請求項６】
前記逃げ溝シャッターが回動自在に支持されて前記逃げ溝を覆う方向に付勢されるとともに第１係合突起との当接によって前記逃げ溝から退避することを特徴とする請求項５に記載の扉開閉機構。
【請求項７】
請求項１〜請求項６のいずれかに記載の扉開閉機構を備えたことを特徴とする冷蔵庫。